(57)【要約】      （修正有）【課題】つる植物や紐等が操作棹の先端部分に巻き付くことを防止可能であり、雑草等の刈り払い作業を効率良く安全に行うことが可能な刈払機用回転刃の回転阻害要因排除構造を提供する。【解決手段】刈払機の操作棹１０に接続にされた回転刃２３において、回転刃２３の表側面２４の上に、回転刃２３の周方向に連続する環状の突起部２８を、プレス加工によって形成し、突起部２８の稜線２９の上に、複数個の第１の刃部４５を形成し、第１の刃部４５の刃を、回転刃２３の回転方向前側に向けて形成し、回転刃２３の周方向に隣接する第１の刃部４５どうし間において、回転刃２３の回転方向前側に位置する一方の第１の刃部４５の上端部から、回転刃２３の回転方向後側に位置する他方の第１の刃部４５の下端部まで、なだらかに連続して連なっている稜線２９を形成する。【選択図】図２
0003188662.tif 000002
【実用新案登録請求の範囲】
【請求項１】
刈払機の操作棹に接続にされた回転刃において、当該操作棹が接続されている表側面の上に、１個又は複数個の第１の刃部が形成されており、当該第１の刃部の刃が、当該回転刃の回転方向前側を向いていることを特徴とする刈払機用回転刃の回転阻害要因排除構造。
【請求項２】
前記表側面の上に、前記回転刃の周方向に連続する環状の突起部が、前記回転刃をプレス加工することにより形成されており、
前記突起部の稜線の上に、又は、前記突起部の径方向外側の斜面の上に、１個又は複数個の前記第１の刃部が形成されていることを特徴とする請求項１に記載の刈払機用回転刃の回転阻害要因排除構造。
【請求項３】
前記稜線の上に、１個の前記第１の刃部が形成されており、前記第１の刃部の上端部から、前記第１の刃部の下端部まで、前記稜線がなだらかに連続して連なっていることを特徴とする請求項２に記載の刈払機用回転刃の回転阻害要因排除構造。
【請求項４】
前記稜線の上に、複数個の前記第１の刃部が形成されており、
前記回転刃の周方向に隣接する前記第１の刃部どうし間において、前記回転刃の回転方向前側に位置する一方の前記第１の刃部の上端部から、前記回転刃の回転方向後側に位置する他方の前記第１の刃部の下端部まで、前記稜線がなだらかに連続して連なっていることを特徴とする請求項２に記載の刈払機用回転刃の回転阻害要因排除構造。
【請求項５】
前記回転刃が接続されている前記操作棹の先端部分に、第２の刃部が形成されており、
前記第２の刃部の刃が、前記操作棹の軸方向に沿って連続して形成されており、
前記第２の刃部は、前記操作棹を把持して刈り払い作業を行う作業者の側を向く位置に存在することを特徴とする請求項１から請求項４のうちのいずれかの請求項に記載の刈払機用回転刃の回転阻害要因排除構造。
【考案の詳細な説明】
【技術分野】
【０００１】
本考案は、刈払機用回転刃の回転阻害要因排除構造に関する。
【背景技術】
【０００２】
以下の説明において、「刈払機用回転刃」のことを、単に「回転刃」と称することとする。
雑草等の刈払機は、操作棹と、操作棹に装着された電動モータやエンジンからなる駆動源と、操作棹の先端に接続されて駆動源の力によって回転する回転刃と、を備えている（特許文献１を参照）。そして、回転する回転刃によって、雑草等が刈り払われる。
【０００３】
刈払機の回転刃には、回転刃の周縁部に金属製の刃が形成されているタイプのものと、回転刃の周縁部に樹脂製の紐状体からなるコードカッターが植設されているタイプのものと、がある。以下の説明において述べる「回転刃」には、これら両方のタイプのものが含まれるものとする。さらに、以下の説明において、回転刃の周縁部に形成されている金属製の刃や、回転刃の周囲の縁に植設されているコードカッターのことを、まとめて「主刃部」と称することとする。
【先行技術文献】
【特許文献】
【０００４】
【特許文献１】特開２０１３−４６５７７号公報
【考案の概要】
【考案が解決しようとする課題】
【０００５】
刈払機によって刈り払われる雑草等の中には、つる植物が含まれていることがある。つる植物の茎は、大きな引張り強度を有していることが多い。このため、刈払機による刈り払い作業中に、つる植物が、操作棹の先端部分に巻き付くことがある。
また、雑草が生い茂っている場所には、様々なゴミが落ちていることも多い。このようなゴミの中には、紐が含まれていることもある。普通に使われている紐は、化学繊維製であることが多く、一般に大きな引張り強度を有している。刈払機による刈り払い作業中に、このような紐が、操作棹の先端部分に巻き付くこともある。
【０００６】
つる植物や紐等が操作棹の先端部分に巻き付くと、回転刃の回転が阻害されることとなる。この結果、場合によっては、刈払機の駆動源である電動モータやエンジンに過剰な負荷がかかり、駆動源が焼き付いてしまう。
したがって、つる植物や紐等が操作棹の先端部分に巻き付いた場合、作業者は、刈り払い作業を直ちに中断し、巻き付いたつる植物や紐等を取り除かねばならない。つる植物や紐等が、操作棹の先端部分にしっかりと巻き付いてしまった場合、作業者は、刃物等を用いて巻き付いたつる植物や紐等を切断しなければならない。
【０００７】
作業効率の観点のみならず、安全上の観点から、作業者は、つる植物の茎や紐等が操作棹の先端部分に巻き付くことに注意を払いながら刈り払い作業を行う必要がある。これは、作業者に大きな精神的疲労を与える原因となる。
本考案は、上記問題を解決するものであり、その目的とするところは、つる植物や紐等が操作棹の先端部分に巻き付くことを防止可能であり、雑草等の刈り払い作業を効率良く安全に行うことを可能とする刈払機用回転刃の回転阻害要因排除構造を提供することである。
【課題を解決するための手段】
【０００８】
本考案は、その課題を解決するために以下のような構成をとる。請求項１の考案に係る刈払機用回転刃の回転阻害要因排除構造は、刈払機の操作棹に接続された回転刃において、当該操作棹が接続されている表側面の上に、１個又は複数個の第１の刃部が形成されており、当該第１の刃部の刃が、当該回転刃の回転方向前側を向いていることを特徴とする。
【０００９】
以下の説明において、「回転刃の回転方向前側」のことを、単に「回転方向前側」と称し、「回転刃の回転方向後側」のことを、単に「回転方向後側」と称することとする。また、「回転刃の径方向中心側」のことを、単に「径方向中心側」と称し、「回転刃の径方向外側（すなわち、回転刃の径方向周縁部側）」のことを、単に「回転方向外側」と称することとする。さらに、「操作棹の先端部分に巻き付いて回転刃の回転を阻害する原因となるつる植物や紐等」のことを、まとめて「つる植物等」と称することとする。
【００１０】
回転刃が回転することにより、主刃部が、操作棹の先端部分に巻き付こうとするつる植物等の少なくとも一部を切断する。さらに、第１の刃部の刃が、主刃部によって切断されなかったつる植物等を切断する。主刃部又は第１の刃部の刃によって切断されたつる植物等は、回転する回転刃によって遠くへ弾き飛ばされ、つる植物等が操作棹の先端部分に巻き付くことが防止される。
【００１１】
したがって、回転刃の回転を阻害する要因であるつる植物等が排除されることとなり、つる植物等によって刈払機の駆動源に過剰な負荷がかかることが防止され、つる植物等によって刈払機の駆動源が焼き付くことも防止される。
なお、第１の刃部の刃は、内側に湾曲する弧を描く形状を有していることが好ましい。第１の刃部の刃がかかる形状を有することによって、刃が描く弧の内側に入ったつる植物等は、刃から逃げにくくなり、刃によって直ちに切断されてしまう。
【００１２】
回転刃の表側面の上に、第１の刃部を形成するに当たっては、第１の刃部を回転刃に溶接等して取り付けることが可能である。
また、回転刃の面の一部に、例えば「レ」の字状の切り込みを形成し、この切り込みの「レ」の字形の内側部分を回転刃の表側面側に立ち上がるように折り曲げて、さらに、折り曲げて立ち上げた部分の縁に刃をつけることによって、第１の刃部を形成することも可能である。
【００１３】
このようにして第１の刃部を形成すると、切り込みを形成した部分に穴ができる。複数枚の回転刃を積み重ねて収納等する場合、下側の回転刃の第１の刃部の突端部を、上側の回転刃の穴の中に入れることができる。これによって、積み重ねた回転刃どうしの間に大きな隙間ができることを防止でき、積み重ねた回転刃をコンパクトに収納しておくことが可能になる。
【００１４】
請求項２の考案に係る刈払機用回転刃の回転阻害要因排除構造は、請求項１に記載の刈払機用回転刃の回転阻害要因排除構造であって、前記表側面の上に、前記回転刃の周方向に連続する環状の突起部が、前記回転刃をプレス加工することにより形成されており、前記突起部の稜線の上に、又は、前記突起部の径方向外側の斜面の上に、１個又は複数個の前記第１の刃部が形成されていることを特徴とする。
【００１５】
回転刃の中心部分が、操作棹の先端部分に接続されている。回転刃の中心部分と操作棹の先端部分とは、環状の突起部の内側に形成された第１の窪み部分の中に納まる。操作棹の先端部分は、周囲を環状の突起部によって取り囲まれた状態となり、つる植物等は、環状の突起部に邪魔されて操作棹の先端部分に巻き付きにくくなる。
【００１６】
また、突起部の稜線よりも径方向外側の部分は、斜面となっていることが好ましい。主刃部によって切断されなかったつる植物等が、横方向から操作棹の先端部分に近づこうとする場合、つる植物等は、この斜面に当たることとなる。
第１の刃部が、突起部の稜線の上に形成されている場合、斜面に当たったつる植物等は、この斜面によって突起部の稜線まで案内され、第１の刃部の刃によって切断され、そのまま回転刃から遠くへ弾き飛ばされてしまう。あるいは、つる植物等は、回転しているこの斜面に当たって、そのまま回転刃から遠くへ弾き飛ばされてしまう。
【００１７】
第１の刃部が、突起部の径方向外側の斜面の上に形成されている場合、この斜面に当たったつる植物等は、第１の刃部の刃によって切断され、そのまま回転刃から遠くへ弾き飛ばされてしまう。
突起部は、回転刃をプレス加工することによって形成されている。このため、回転刃の裏側面には、突起部に対応した環状の第２の窪み部分が形成される。複数枚の回転刃を積み重ねて収納等する場合、下側の回転刃の突起部を、上側の回転刃の裏側面の環状の第２の窪み部分の中に納めることができる。したがって、積み重ねた回転刃をコンパクトに収納しておくことが可能になる。
【００１８】
突起部に、第１の刃部を形成するに当たっては、第１の刃部を突起部に溶接等して取り付けることが可能である。
また、突起部の稜線の両側には斜面が形成されている。突起部のこの斜面に、例えば「レ」の字状の切り込みを形成し、この切り込みの「レ」の字形の内側部分を回転刃の表側面側に立ち上がるように折り曲げ、さらに、折り曲げて立ち上げた部分の縁に刃をつけることによって、第１の刃部の刃を形成することが可能である。
【００１９】
なお、突起部の径方向中心側の斜面に、「レ」の字状の切り込みを形成するに際しては、この切り込みにおいて、「レ」の字の書き始めの端部と、「レ」の字の書き終わりの端部と、が、ともに突起部の稜線の上に位置していることが好ましい。
【００２０】
また、突起部の径方向外側の斜面に、「レ」の字状の切り込みを形成するに際しては、「レ」の字の折れ曲がった頂点部分が、「レ」の字の書き始めの端部よりも、突起部の稜線に近い位置にあるとともに、「レ」の字の書き終わりの端部よりも、突起部の稜線に近い位置にあることが好ましい。
【００２１】
このようにして第１の刃部の刃を形成すると、突起部に穴ができる。複数枚の回転刃を積み重ねて収納等する場合、下側の回転刃の第１の刃部の突端部を、上側の回転刃の穴の中に入れることができる。これによって、積み重ねた回転刃どうしの間に大きな隙間ができることを防止でき、積み重ねた回転刃をコンパクトに収納しておくことが可能になる。
【００２２】
あるいは、突起部の稜線部分に、以下に述べるような切り込みを形成して、この切り込みを利用して第１の刃部を形成することも可能である。
すなわち、回転刃を表側面と平行に横から見たときに、手前側の突起部の稜線部分に、回転方向前側から回転方向後側へ斜め下方に向かう切り込みを形成し、この切り込みの上側部分の縁に刃をつけることによって、第１の刃部を形成することが可能である。さらに、この切り込みの上側部分を、上方又は斜め上方に立ち上がるように曲げてやっても良い。このようにして第１の刃部の刃を形成したときにも、突起部に穴ができる。この穴を利用して、積み重ねた回転刃をコンパクトに収納しておくことが可能になる。
【００２３】
請求項３の考案に係る刈払機用回転刃の回転阻害要因排除構造は、請求項２に記載の刈払機用回転刃の回転阻害要因排除構造であって、前記稜線の上に、１個の前記第１の刃部が形成されており、前記第１の刃部の上端部から、前記第１の刃部の下端部まで、前記稜線がなだらかに連続して連なっていることを特徴とする。
【００２４】
突起部の稜線の上に形成される第１の刃部が１個であり、第１の刃部の上端部から、第１の刃部の下端部まで、突起部の稜線が、突起部に沿ってほぼ一周し、なだらかに連続して連なっている。突起部の稜線が、かかる形状を有していることによって、突起部の稜線の上にのったつる植物等は、稜線によって第１の刃部の刃までスムーズに案内され、切断されてしまう。すなわち、第１の刃部の刃は、突起部の稜線の上にのったつる植物等を、スムーズに、かつ確実に捉まえて切断することができる。
【００２５】
請求項４の考案に係る刈払機用回転刃の回転阻害要因排除構造は、請求項２に記載の刈払機用回転刃の回転阻害要因排除構造であって、前記稜線の上に、複数個の前記第１の刃部が形成されており、前記回転刃の周方向に隣接する前記第１の刃部どうし間において、前記回転刃の回転方向前側に位置する一方の前記第１の刃部の上端部から、前記回転刃の回転方向後側に位置する他方の前記第１の刃部の下端部まで、前記稜線がなだらかに連続して連なっていることを特徴とする。
【００２６】
回転刃の周方向に隣接する第１の刃部どうし間において、回転方向前側に位置する第１の刃部の上端部から、回転方向後側に位置する他方の第１の刃部の下端部まで、突起部の稜線がなだらかに連続して連なっている。突起部の稜線が、かかる形状を有していることによって、突起部の稜線の上にのったつる植物等は、稜線によってスムーズに、かつ確実に第１の刃部の刃に案内され、切断されてしまう。
【００２７】
請求項５の考案に係る刈払機用回転刃の回転阻害要因排除構造は、請求項１から請求項４のうちのいずれかの請求項に記載の刈払機用回転刃の回転阻害要因排除構造であって、前記回転刃が接続されている前記操作棹の先端部分に、第２の刃部が形成されており、前記第２の刃部の刃が、前記操作棹の軸方向に沿って連続して形成されており、前記第２の刃部は、前記操作棹を把持して刈り払い作業を行う作業者の側を向く位置に存在することを特徴とする。
【００２８】
つる植物等が、主刃部や第１の刃部によって切断されず、操作棹の先端部分に巻き付いてしまった場合、巻き付いたつる植物等と操作棹の先端部分との間には、第２の刃部が存在する。そして、つる植物等は、第２の刃部の刃によって切断されてしまう。
つる植物等が操作棹の先端部分に巻き付く力が強くなればなるほど、つる植物等に第２の刃部の刃がしっかり食い込む。このため、操作棹の先端部分に巻き付いたつる植物等は、回転刃の回転が止まってしまう前に切断されてしまう。
【００２９】
すなわち、第１の刃部とともに第２の刃部が存在することによって、つる植物等が回転刃の回転を止めてしまうことを確実に防止することが可能となり、刈払機の駆動源に過剰な負荷がかかることも確実に防止され、刈払機の駆動源が焼き付くことも確実に防止される。
【００３０】
第２の刃部は、操作棹を把持して刈り払い作業を行う作業者の側を向いている。このため、刈り払い作業を行う作業者が、刈払機の回転刃を雑草等が密生している場所に押し込んでも、第２の刃部が地面から生えている雑草等に直接当たりにくい。したがって、作業者が刈払機の回転刃を密生している雑草等の間に押し込む際に、第２の刃部が邪魔になることが無い。
【００３１】
なお、第２の刃部の刃は、内側に湾曲する弧を描く形状を有していることが好ましい。さらに、第２の刃部の刃の形状は、内側に湾曲する複数個の弧が操作棹の軸方向に沿って連続して連なっていても良い。第２の刃部の刃がかかる形状を有することによって、刃が描く弧の内側に入ったつる植物等は、刃から逃げにくくなり、刃によって直ちに切断されてしまう。
【考案の効果】
【００３２】
上記のような刈払機用回転刃の回転阻害要因排除構造であるので、つる植物や紐等が操作棹の先端部分に巻き付くことを防止可能であり、雑草等の刈り払い作業を効率良く安全に行うことが可能となる。
【図面の簡単な説明】
【００３３】
【図１】刈払機の斜視図である。
【図２】刈払機の先端部分の構成図である。
【図３】回転刃の表側面側の構成図である。
【図４】回転刃の断面構成図である。
【図５】変形例１に係る回転刃の表側面側の構成図である。
【図６】変形例１に係る回転刃の断面構成図である。
【図７】変形例２に係る回転刃の表側面側の構成図である。
【図８】変形例３に係る回転刃の横側面側の構成図である。
【考案を実施するための形態】
【００３４】
本考案の実施の形態を図１から図４を参照しつつ説明する。
図１に示すように、刈払機用回転刃の回転阻害要因排除構造を有する刈払機１は、操作棹１０、エンジン１１、ハンドル１３、ギヤケース１５、回転刃２３及び保護カバー１４を有している。
【００３５】
操作棹１０は、パイプ状をなし、操作棹１０の末端部分には、エンジン１１が駆動源としての装備されている。操作棹１０の中央部分近傍には、ハンドル１３が装備されている。操作棹１０の先端部分には、ギヤケース１５が装備されている。操作棹１０の先端部分には、ギヤケース１５を介して回転刃２３が接続されている。操作棹１０の先端部分よりもややハンドル１３側の位置には、保護カバー１４が装備されている。
【００３６】
操作棹１０の内部には、エンジン１１とギヤケース１５とをつなぐ駆動軸１２が入っている。
図２に示すように、ギヤケース１５は、ギヤ（図示せず）が内蔵されており、このギヤにつながる出力軸１６が、ギヤケース１５の先端部分から下方に露出している。
【００３７】
第２の刃部２０が、ギヤケース１５の外側に操作棹１０の軸方向に沿って連続して形成されている。第２の刃部２０は、操作棹１０の軸方向に沿って連続して形成された刃２１を有している。第２の刃部２０と刃２１は、作業者がハンドル１３（すなわち、操作棹１０）を把持して刈り払い作業を行う際に、作業者の側を向く位置に形成されている。
【００３８】
また、第２の刃部２０の刃２１形状は、内側に湾曲する複数個の弧が操作棹１０の軸方向に沿って連続して連なっている。なお、刃２１の下端部と回転刃２３の表側面２４との間には、極めて僅かな隙間が形成されている。
さらに、第２の刃部２０は、２本の金属製バンド５７によってギヤケース１５に固定されており、必要に応じて第２の刃部２０を交換可能に構成されている。
【００３９】
回転刃２３は、鋼性であり、円盤状をなしている。回転刃２３の中心は、回転刃２３の裏側面２５側から、出力軸１６の先端にナット５５によって締結されて接続されており、回転刃２３が、刈払機１の先端に位置している。回転刃２３は、駆動軸１２と前記ギヤと出力軸１６とを介して、エンジン１１によって回転可能に構成されている。
【００４０】
図３に示すように、回転刃２３を表側面２４側から見ると、回転刃２３の回転方向は、反時計回り方向となっている。回転刃２３の周縁部には、周方向に連続する金属製の刃が主刃部２６として形成されている。
回転刃２３の表側面２４の上には、環状の突起部２８が、回転刃２３の周方向に連続して形成されている。突起部２８は、回転刃２３をプレス加工することによって形成されている。
【００４１】
突起部２８が形成する環の中心は、回転刃２３の中心と一致している。図４に示すように、回転刃２３の径方向の縦断面において、突起部２８は、略三角形をなしており、突起部２８の稜線２９を境にして、回転刃２３の径方向外側に、突起部２８の傾斜面３０が位置しており、回転刃２３の径方向中心側に、突起部２８の傾斜面３１が位置している。
【００４２】
図２から図４に示すように、回転刃２３の表側面２４の上において、突起部２８の径方向中心側に、第１の窪み部分３２が形成されている。ギヤケース１５の先端部分（すなわち、操作棹１０の先端部分）は、第１の窪み部分３２の内側に納まっている。回転刃２３を表側面２４と平行に横から見ると、ギヤケース１５の先端部分は、突起部２８の陰に隠れて見えない。
【００４３】
回転刃２３の裏側面２５には、回転刃２３の周方向に連続する環状の第２の窪み部分３３が、突起部２８に対応して形成されている。そして、裏側面２５において、出力軸１６の先端にナット５５によって締結されている回転刃２３の中心の周囲には、環状のガード部５６が装着されており、出力軸１６の先端とナット５５を取り囲んでいる。
【００４４】
突起部２８の稜線２９の上には、複数個の第１の刃部４５が、回転刃２３の周方向に等間隔で形成されている。
回転刃２３を表側面２４と平行に横から見ると、手前側に見える突起部２８において、稜線２９から回転方向後側の斜め下方に向かって、切り込み３５が形成されている。この切り込み３５の上側部分３６が、第１の刃部４５として、斜め上方に向かって立ち上がるように曲げられている。この折り曲げられた上側部分３６の縁部分に、第１の刃部４５の刃４６が形成されている。刃４６は、回転刃２３の回転方向前側を向いている。また、回転刃２３を表側面２４と平行に横から見ると、刃４６は、内側に湾曲した弧を描く形状を有している。
【００４５】
いま、あるひとつの第１の刃部４５Ａと、稜線２９の上において、第１の刃部４５Ａの回転方向前側に隣接して位置する別の第１の刃部４５Ｂと、を考える。第１の刃部４５Ｂの上端部４７から、第１の刃部４５Ａの回転方向前側の下端部４８まで、稜線２９がなだらかに連続して連なっている。第１の刃部４５Ａと第１の刃部４５Ｂとの間のこのような関係が、稜線２９の上において互いに隣接する第１の刃部４５どうしの間で常に成立している。
【００４６】
突起部２８の稜線２９の上において、第１の刃部４５の下端部４８の回転方向前側の部分には、穴５０が形成されている。この穴５０は、切り込み３５の上側部分３６を第１の刃部４５として回転方向前側の斜め上方に向かって立ち上がるように曲げたことによって形成されたものである。
【００４７】
以上が、刈払機用回転刃の回転阻害要因排除構造を有する刈払機１の構成である。次に、その作用効果について説明する。
作業員は、刈払機１のハンドル１３を把持して、刈払機１を自分の正面に構える。そして、エンジン１１のスイッチを入れる。エンジン１１が駆動し、エンジン１１の回転が、駆動軸１２とギヤケース１５のギヤを介して回転刃２３に伝わり、回転刃２３が回転する。作業員は、回転する回転刃２３の主刃部２６によって、地面に生えている雑草を刈り払う。
【００４８】
作業員が地面に生えている雑草を刈り払う際、回転刃２３の裏側面２５において、出力軸１６の先端とナット５５はガード部５６によって保護されており、出力軸１６の先端やナット５５が地面に当たって傷ついたりすることはない。
雑草が密生している場所において、作業員は、先ず、刈払機１を自分の身体の正面前方に押し出すようにして、刈払機１の先端の回転刃２３を、雑草の間に押し込む。そして、作業員は、刈払機１の先端を左右に振るように動かし、回転刃２３の主刃部２６によって雑草を刈り払う。刈り払われた雑草は、そのまま回転刃２３から遠くへ弾き飛ばされる。
【００４９】
第２の刃部２０は作業者の側を向いている。このため、作業員が、回転刃２３を密生している雑草の間に押し込む際に、第２の刃部２０が、密生している雑草に引っかかったりして邪魔になることが無い。
また、回転刃２３が接続されているギヤケース１５の先端は、第１の窪み部分３２の内側に納まっており、回転刃２３を表側面２４と平行に横から見ても、ギヤケース１５の先端は、突起部２８の陰に隠れて見えない。このため、地面に生えている雑草は、ギヤケース１５の先端に直接接触しにくい。
【００５０】
次に、長く伸びたつる植物が、刈払機１で刈り払う雑草の中に混じっている場合を考える。
先ず、つる植物が、雑草の間で地面を這うようにして水平に伸びている場合について述べる。
【００５１】
この場合、つる植物は、他の雑草と一緒に回転刃２３の主刃部２６によって刈り払われる。刈り払われたつる植物や他の雑草は、そのまま回転刃２３から遠くへ弾き飛ばされてしまう。
次に、つる植物が、他の雑草に絡まるように上方に伸びており、つる植物が地面よりもやや高い位置にある場合について述べる。
【００５２】
この場合、つる植物が絡まっている雑草が、回転刃２３の主刃部２６によって刈り払われると、一部のつる植物は、雑草とともに主刃部２６によって刈り払われるが、一部のつる植物は、主刃部２６によって刈り払われずに残る。
主刃部２６によって刈り払われなかったつる植物は、回転している突起部２８の稜線２９の上にかぶさるように倒れてくる。突起部２８の上に倒れてきたつる植物は、稜線２９によって第１の刃部４５の刃４６のもとへ案内され、刃４６によって切断されてしまう。刃４６によって切断されたつる植物は、そのまま回転刃２３から遠くへ弾き飛ばされてしまう。
【００５３】
ここで、第１の刃部４５の刃４６は、内側に湾曲した弧を描く形状を有しているので、刃４６に案内されたつる植物は、刃４６に容易につかまってしまい、刃４６から逃げることができない。
また、つる植物が、回転している突起部２８の傾斜面３０に横方から当たった場合、つる植物は、回転している突起部２８によって、回転刃２３から遠くへ弾き飛ばされてしまい、回転刃２３の第１の窪み部分３２に近づくことができない。
【００５４】
次に、つる植物が、高く育った雑草の上部に絡まるように伸びており、つる植物が、作業者が操作する刈払機１の回転刃２３よりも上方の位置にある場合について述べる。
この場合、つる植物が絡まっている雑草の茎が刈り払われると、つる植物の一部は、回転する回転刃２３の第１の窪み部分３２の中へ上から落ちてくる。第１の窪み部分３２の中へ落ちたつる植物の中には、操作棹１０の先端部分のギヤケース１５の周りに巻き付こうとするものもある。
【００５５】
つる植物が、ギヤケース１５の周りに巻き付くと、巻き付いたつる植物に第２の刃部２０の刃２１が当たる。そして、回転刃２３の回転によって、つる植物が強い力でギヤケース１５に巻き付こうとすると、刃２１がつる植物にしっかりと食い込む。この結果、ギヤケース１５に巻き付いたつる植物は、直ちに切断されてしまう。刃２１によって切断されたつる植物は、そのまま回転刃２３から遠くへ弾き飛ばされる。
【００５６】
したがって、長く伸びたつる植物が、刈払機１で刈り払う雑草の中に混じっていたとしても、このつる植物によって回転刃２３の回転が妨げられてしまうことを排除可能である。
紐が、刈払機１で刈り払う雑草の中に混じって落ちているケースであっても、これまで述べたつる植物の場合と同様である。
【００５７】
すなわち、紐が、雑草の間の地面に落ちている場合、この紐は、雑草と一緒に回転刃２３の主刃部２６によって切断され、回転刃２３から遠くへ弾き飛ばされてしまう。また、紐が、雑草に絡まっており、地面よりもやや高い位置にある場合、紐は、主刃部２６によって切断されたり、第１の刃部４５の刃４６によって切断されたりして、回転刃２３から遠くへ弾き飛ばされてしまう。
【００５８】
また、紐が、回転している突起部２８の傾斜面３０に横から当たった場合、紐は、回転している突起部２８によって、回転刃２３から遠くへ弾き飛ばされてしまう。あるいは、傾斜面３０に横から当たった紐は、回転する傾斜面３０によって稜線２９まで案内され、さらに、稜線２９によって第１の刃部４５まで案内されて切断され、そのまま回転刃２３から遠くへ弾き飛ばされてしまう。
【００５９】
紐が、高く育った雑草の上部に絡まっており、回転刃２３よりも上方にある場合には、紐が絡まった雑草を刈り払うことによって、紐が、回転する回転刃２３の第１の窪み部分３２の中へ上から落ちてくることがある。第１の窪み部分３２の中へ落ちてきた紐が、操作棹１０の先端部分のギヤケース１５の周りに巻き付いたとしても、巻き付いた紐は、第２の刃部２０の刃２１によって切断され、そのまま回転刃２３から遠くへ弾き飛ばされる。
【００６０】
したがって、紐が雑草の中に混じって落ちていたとしても、この紐によって回転刃２３の回転が妨げられてしまうことを排除可能である。
複数枚の回転刃２３を保管しておくときは、向きを揃えて積み重ねておけばよい。下側に位置する回転刃２３の突起部２８を、上側に位置する回転刃２３の第２の窪み部分３３の中に納め、さらに、下側に位置する回転刃２３の第１の刃部４５の突端部を、上側の回転刃２３の突起部２８の穴５０の中に入れる。このようにして回転刃２３を積み重ねることで、積み重なった回転刃２３どうし間の隙間を小さくすることができ、積み重ねた回転刃２３をコンパクトに保管できる。
【００６１】
本実施の形態において、複数個の第１の刃部４５が稜線２９の上に形成されているとした。これに代えて、１個の第１の刃部４５を稜線２９の上に形成しても良い。この場合、第１の刃部４５の上端部４７から、第１の刃部４５の下端部４８まで、突起部２８の稜線２９がなだらかに連続して連なっている。
【００６２】
また、本実施の形態において、第１の刃部４５が稜線２９の上に形成されているとした。これに代えて、図５及び図６の変形例１に示す第１の刃部６０が、稜線２９の上に形成されていても良い。
すなわち、稜線２９から傾斜面３１にかけての部分に、「レ」の字状の切り込み３７が形成されている。切り込み３７において、「レ」の字の折れ曲がった頂点部分３８が、径方向中心側を向いており、この頂点部分３８が傾斜面３１の上に位置している。また、切り込み３７において、「レ」の字の書き始めの端部３９と、「レ」の字の書き終わりの端部４０と、が、稜線２９の上に位置している。
【００６３】
「レ」の字形をなす切り込み３７の内側部分は、回転刃２３の表側面２４側に立ち上がるように折り曲げられて、第１の刃部６０を形成している。さらに、第１の刃部６０の回転方向前側の縁に、第１の刃部６０の刃６１が形成されている。そして、刃６１は、内側に湾曲した弧を描く形状を有している。また、切り込み３７の内側部分を折り曲げて第１の刃部６０を形成することによって、傾斜面３１に穴５０が形成されている。
【００６４】
切り込み３７の内側部分を回転刃２３の表側面２４側に立ち上がるように折り曲げて、第１の刃部６０を形成するに際して、第１の刃部６０は、径方向中心側に向かってやや傾斜していることが好ましい。第１の刃部６０がこのように傾斜していれば、回転刃２３を積み重ねて保管するに際して、下側に位置する回転刃２３の第１の刃部６０の突端部が、上側の回転刃２３の突起部２８の穴５０の中に入りやすくなる。
【００６５】
さらに、変形例１においては、第１の刃部６０が、稜線２９の上に形成されているとした。これに代えて、図７の変形例２に示すように、第１の刃部６３が、突起部２８の傾斜面３０の上に形成されていても良い。
すなわち、「レ」の字状の切り込み６７が傾斜面３０の上に形成されている。そして、切り込み６７において、「レ」の字の折れ曲がった頂点部分６８が、稜線２９側（すなわち、径方向中心側）を向いているとともに、頂点部分６８が傾斜面３０の上に位置している。
【００６６】
そして、「レ」の字形をなす切り込み６７の内側部分は、回転刃２３の表側面２４側に立ち上がるように折り曲げられて、第１の刃部６３を形成している。第１の刃部６３の回転方向前側の縁に、第１の刃部６３の刃６４が形成されている。また、刃６４は、内側に湾曲した弧を描く形状を有している
【００６７】
第１の刃部６３は、径方向中心側に向かってやや傾斜するように折り曲げられていることが好ましい。そして、切り込み６７の内側部分を折り曲げて第１の刃部６３を形成することによって、傾斜面３０には穴５０が形成されている。
なお、主刃部２６は、樹脂製の紐状体からなるコードカッターによって形成されている。
【００６８】
第１の刃部６３が径方向中心側に向かってやや傾斜するように折り曲げられていることによって、回転刃２３を積み重ねて保管するに際して、下側に位置する回転刃２３の第１の刃部６３の突端部を、上側の回転刃２３の突起部２８の穴５０の中に入れやすくなる。
変形例２において、回転刃２３を表側面２４と平行に横から見たときに、主刃部２６から第１の刃部６３の突端までの高さは、主刃部２６から稜線２９までの高さよりも高いことが好ましい。このようにすることで、つる植物等が、回転している突起部２８の稜線２９の上にかぶさるように倒れてきても、この倒れてきたつる植物等は、第１の刃部４５の刃４６によって切断されてしまう。
【００６９】
本実施の形態及び変形例１において、金属製の刃が主刃部２６として形成されているとしたが、樹脂製の紐状体からなるコードカッターが主刃部２６として形成されていても良いことは勿論のことである。また、変形例２において、樹脂製の紐状体からなるコードカッターが主刃部２６として形成されているとしたが、金属製の刃が主刃部２６として形成されていても良いことも勿論のことである。
【００７０】
本実施の形態において、回転刃２３を表側面２４と平行に横から見ると、手前側に見える突起部２８において、稜線２９から回転方向後側の斜め下方に向かって、切り込み３５が形成されており、この切り込み３５の上側部分３６が、第１の刃部４５として、斜め上方に向かって立ち上がるように曲げられているとした。これに代えて、図８の変形例３に示すように、第１の刃部７０を形成しても良い。
【００７１】
すなわち、回転刃２３を表側面２４と平行に横から見ると、手前側に見える突起部２８において、稜線２９から回転方向後側の斜め下方に向かって、「レ」の字状に見える切り込み７１が形成されており、「レ」の字の書き始めの端部７２と、「レ」の字の書き終わりの端部７３と、が、稜線２９の上に位置し、「レ」の字の折れ曲がった頂点部分７４が、傾斜面３０の上に位置している。
【００７２】
そして、切り込み７１の上側部分７５の回転方向前側の縁部分に、第１の刃部７０の刃７６が形成されており、刃７６は、回転刃２３の回転方向前側を向いている。回転刃２３を表側面２４と平行に横から見ると、手前側に見える突起部２８において、刃７６の上端部が、端部７２に一致し、刃７６の下端部が、頂点部分７４に一致している。なお、上側部分３６と異なり、上側部分７５は、斜め上方に向かって立ち上がるように曲げられてはいない。したがって、稜線２９よりも上方に、第１の刃部７０の上端部分は、突出していない。
【００７３】
さらに、あるひとつの第１の刃部７０Ａと、稜線２９の上において、第１の刃部７０Ａの回転方向前側に隣接して位置する別の第１の刃部７０Ｂと、を考える。回転刃２３を表側面２４と平行に横から見ると、第１の刃部７０Ｂの刃７６の上端部から、第１の刃部７０Ａの刃７６の下端部まで、突起部２８の稜線２９がなだらかに連続して連なっている。
【００７４】
回転刃２３を積み重ねて保管するに際しては、下側に位置する回転刃２３の突起部２８を、上側に位置する回転刃２３の第２の窪み部分３３の中に納めさえすれば、積み重なった回転刃２３どうし間の隙間を小さくすることができ、積み重ねた回転刃２３をコンパクトに保管できる。
【産業上の利用可能性】
【００７５】
上記のような刈払機用回転刃の回転阻害要因排除構造であるので、様々な雑草が生い茂る土地の刈り払い作業において有用であり、刈り払い作業を安全かつ効率的に行うことが可能である。
【符号の説明】
【００７６】
１    刈払機
１０    操作棹
１１    エンジン
１２    駆動軸
１３    ハンドル
１４    保護カバー
１５    ギヤケース
１６    ギヤの出力軸
２０    第２の刃部
２１    第２の刃部の刃
２３    回転刃
２４    回転刃の表側面
２５    回転刃の裏側面
２６    主刃部
２８    突起部
２９    突起部の稜線
３０、３１    突起部の傾斜面
３２    第１の窪み部分
３３    第２の窪み部分
３５    切り込み
３６、７５    切り込みの上側部分
３７、６７、７１    「レ」の字状の切り込み
３８、６８、７４    「レ」の字状の切り込みにおける「レ」の字の折れ曲がった頂点部分
３９、７２    「レ」の字状の切り込みにおける「レ」の字の書き始めの端部
４０、７３    「レ」の字状の切り込みにおける「レ」の字の書き終わりの端部
４５、４５Ａ、４５Ｂ、６０、６３、７０、７０Ａ、７０Ｂ    第１の刃部
４６、６１、６４、７６    第１の刃部の刃
４７    第１の刃部の上端部
４８    第１の刃部の回転方向前側の下端部
５０    穴
５５    ナット
５６    ガード部
５７    金属製バンド
【図１】
0003188662.tif 000003
【図２】
0003188662.tif 000004
【図３】
0003188662.tif 000005
【図４】
0003188662.tif 000006
【図５】
0003188662.tif 000007
【図６】
0003188662.tif 000008
【図７】
0003188662.tif 000009
【図８】
0003188662.tif 000010